(57)【特許請求の範囲】
【請求項１】
オペレータが把持する把持体と、
前記把持体に取り付けられると共に、注ぎ口を有する注出金具と、
前記注出金具内に設けられた弁機構と、
前記弁機構に接続されると共に前記注出金具外に延出しており、オペレータの操作に伴って前記弁機構に作用してビール注出作用とビールを泡状にして注出する泡出作用とを行わしめる操作レバーと、
を備え、
前記操作レバーは、
前記把持体の軸に対して一方側に延伸する第１操作部分と、
前記第１操作部分に連結されると共に、前記把持体と前記注出金具との接続部分を取り囲むように半リング状に延びる半リング状接続部分と、
前記半リング状接続部分に接続されると共に、前記把持体の軸に対して前記第１操作部分とは互いに反対側に位置して延伸する第２操作部分と、
を有しており、
前記第１操作部分は、前記把持体の側に操作されるようになっており、
前記第２操作部分も、前記把持体の側に操作されるようになっている
ことを特徴とするポータブル型ビール注出バルブ。
【請求項２】
前記第２操作部分が操作されることによって、ビール注出作用が行われるようになっており、
前記第１操作部分が操作されることによって、泡出作用が行われるようになっている
ことを特徴とする請求項１に記載のポータブル型ビール注出バルブ。
【請求項３】
前記操作レバーは、１本のレバーによって構成されている
ことを特徴とする請求項１または２に記載のポータブル型ビール注出バルブ。
【発明の詳細な説明】
【０００１】
【産業上の利用分野】
本発明は、自在に持ち運びができるポータブル型ビール注出バルブに関する。
【０００２】
【従来の技術】
所望の場所にビール注出バルブを移動してビールをグラスに注ぐためのいわゆるポータブル型ビール注出バルブは、例えば実開平３−１１４８００号に開示されたようなものが知られている。すなわち、図４に示すように、従来の可動型注出バルブＶ0 は、オペレータが把持するための筒状の把持体１００を有し、この把持体１００に可撓性のチューブ１０４が接続され、この可撓性チューブ１０４を介してビールが把持体内に注入される。この把持体１００の先端にはビール注出金具１０１が接続され、このビール注出金具１０１にはビール注出口１０６が設けられている。前記注出口１０６の反対側にはねじ蓋１０５が設けられ、このねじ蓋１０５の外方には、引金式レバー１０２と、補助レバー１０３とが接続されている。
【０００３】
前記引金式レバー１０２は前記ねじ蓋１０５から前記ビール注出金具１０１の軸の反対側まで伸びて、その先端には人差し指を引掛けるための引掛部１０２ａが形成されている。前記引金式レバーの基端部と同一部分から前記補助レバー１０３が前記引掛部１０２ａとは把持体１００に対して反対側において延出されている。
【０００４】
ビールをグラスに注出するときには、オペレータは把持体１００を把持している手の人差し指又は人差し指と中指で前記引掛部１０２ａを把持して前記把持体１００側に前記引金式レバー１０２を引き寄せる。これによってビールがグラスに注がれる。そして、グラスに一定以上のビールが注出した後に前記引金式レバー１０２を解放するとそれは元の位置に戻る。これとともに前記補助レバー１０３にオペレータは親指を押し当てて前記補助レバー１０３を把持体１００側に押し付ける。このとき、前記ビール注出金具内の弁機構が微小開状態にコントロールされ、微小流通状態においてビールを勢いよく噴出させ、この勢いによってビールを泡状とし、この泡をグラスの上部に注出する。
【０００５】
【発明が解決しようとする課題】
従来のポータブル型ビール注出バルブにおいては、前記図４に示すような引金式レバー１０２によってビール注出動作を行ない、これと反対側に延出された補助レバー１０３によって泡出作用を行なうようになっているが、これらの操作は、ねじ蓋１０５外方の基端部分から、それぞれ独立して延出するレバーによって行なうようになっているから、操作時における指の操作レバーへの位置決め及び指の操作レバーへの接触安定性の面から十分でなく、補助レバーが把持体の手での把握の障害になっていたりして、その操作性においても必ずしも満足のゆくものではなかった。そこで本発明は、この操作性を改善し、更に組立てが容易であり、製作も容易で、構造的にもコンパクトなポータブル型ビール注出バルブを提供することを目的とするものである。
【０００６】
【課題を解決するための手段】
上記目的を達成するために本発明は、オペレータが把持する把持体と、前記把持体に取り付けられると共に、注ぎ口を有する注出金具と、前記注出金具内に設けられた弁機構と、前記弁機構に接続されると共に前記注出金具外に延出しており、オペレータの操作に伴って前記弁機構に作用してビール注出作用とビールを泡状にして注出する泡出作用とを行わしめる操作レバーと、を備え、前記操作レバーは、前記把持体の軸に対して一方側に延伸する第１操作部分と、前記第１操作部分に連結されると共に、前記把持体と前記注出金具との接続部分を取り囲むように半リング状に延びる半リング状接続部分と、前記半リング状接続部分に接続されると共に、前記把持体の軸に対して前記第１操作部分とは互いに反対側に位置して延伸する第２操作部分と、を有しており、前記第１操作部分は、前記把持体の側に操作されるようになっており、前記第２操作部分も、前記把持体の側に操作されるようになっていることを特徴とするポータブル型ビール注出バルブである。
【０００７】
【作用】
本発明の一例の注出バルブの操作レバー６は、弁機構に接続され前記把持体１の軸に対して一方側に伸びる第１操作部分８，１１と、前記把持体１を挟んで反対側に配置された第２操作部分１０とは半リング状接続部分９を介して連続して形成され、ビール注出時においては前記第２操作部分を人差し指及び／又は中指で前記把持体１側に引き付け、ビール注出時の最終段階における泡出操作を、オペレータの親指を前記第２操作部分の先端部分周辺に押し当てて前記第１操作部分を把持体１側に押し付ける。本発明の一例の注出バルブにおけるレバーは、前記のような構造を有するため、操作時の指の位置決めがよく、接触安定性が大きいので、親指は半リング状接続部９の案内で位置決めができ、第１操作部分の１１部分からこれに近接する半リング状接続部分９の一部まで広い範囲を押し付けられる操作部分として利用できるため、操作時における位置決め、接触安定性の優れた操作ができる。また、操作レバー６を１本のレバーとして連続して形成し、その弁機構への接続部７を形成しているため、組立てが容易であり、製作も容易であるとともに構造的にも極めてコンパクトな構造となっている。
【０００８】
【実施例】
以下、図面を参照して本発明の具体的態様を実施例として説明する。
図１において、本発明のポータブル型ビール注出バルブＶ1 は、オペレータが手で握るための把持体１を有し、この把持体１の後端部分にはチューブ２が接続され、このチューブ２を介してビールが送り込まれる。前記把持体１のチューブ接続側とは反対側にはビール注出金具３が接続され、このビール注出金具３には注ぎ口４が斜めに形成され、その先端には注出管５が設けられている。
【０００９】
このビール注出金具３内には、ビールを注出するためのビール注出作用とビール注出作用後にジョッキの上方に泡を載せるための泡出作用の両作用を行なうための弁機構が収納されている。この弁機構には操作レバー６が取付けられ、この操作レバー６の操作によってビール注出作用及び泡出作用の両方が行なわれる。前記操作レバー６は図２に示すように弁機構に接続するための取付部７を有し、この取付部７からは前記把持体１の軸にほぼ平行に腕部８が延出され、この腕部８の先端部分１１には半リング状接続部分９が設けられている。この半リング状接続部分９は前記把持体１と注出金具３の接続部分を取り囲むように形成され、前記腕部８の先端と前記半リング状接続部分９との接続部分には押付部（先端部分１１付近）が形成される。この押付部を設けた先端部分１１から半リング状接続部分９の一部に及ぶ領域がオペレータの親指を押し付ける第１操作部分である。この腕部８とは前記把持体１に対して反対側位置において、前記半リング状接続部分９を介して接続された引金部１０が形成されている。前記腕部８とこの先端部分に形成される押付部とは泡出作用時に機能する第１操作部分を形成し、前記引金部１０はビール注出作用時に機能する第２操作部分を形成している。
【００１０】
次に、弁機構について説明する。
図３において、前記ビール注出金具３はボディ１２を有し、このボディ１２内には栓棒１３が収納されている。この栓棒１３の図上右側には弁部１４が形成され、この弁部１４は前記栓棒１３の先端に形成された中空部１５を有し、この中空部１５内がビール流通空間を形成している。この中空部１５の基端部分には通孔１６が設けられ、この通孔１６を通って泡出時にビールが勢いよく注出されるようになっている。前記中空部１５には止めナット１７が螺着されている。この止めナット１７の中央部分には中空部１５にビールを導くための通孔１８が設けられている。また、前記中空部１５にはスプリングケース１９が外嵌し、このスプリングケース１９と前記止めナット１７の中空部１５との係合部分間にはコイルばね２０が設けられ、このコイルばね２０によって止めナット１７が前記栓棒１３の中空部１５と一体にスプリングケース１９に対して軸方向に移動しうるようになっている。前記中空部１５の基端部分にはパッキン２１が設けられ、このパッキン２１が前記ボディ１２の内壁に形成された座２２に当接することによってビールの注出が停止される。前記栓棒１３の図上左側に形成された頭部２３内には回動部２９と嵌合する楕円孔２７が形成されている。前記頭部２３の図上更に左側にはスプリングケース２４が設けられ、このスプリングケース２４内にはスプリング２６が収納され、このスプリングケース２４は前記頭部２３に止めねじ２５によって接続されている。前記頭部２３内の楕円孔２７内には作動棒２８の下部回動部２９が嵌合し、この下部回動部２９は球面を有し、この下部回動部２９の上方部分には中間回動部３０が形成され、また、この中間回動部３０にも球面が形成されている。この球面にはパッキン３１が係合し、このパッキン３１の上方にはさらに別のパッキン３３が設けられ、これらパッキン３１，３３はキャップ３２によってボディ内に固定されている。このキャップ３２の上面には球面３４が形成され、この球面３４に前記操作レバーの取付部７が係合している。この取付部７は作動棒２８の上部に固定ナット３５によって螺着されている。
【００１１】
次に、本発明に係わる操作レバー６とこれに伴なう弁機構の作用について説明する。
図３の弁機構はビール注出を停止している状態を示している。この状態においては前記操作レバーの腕部８は図１に示すように前記把持部１の軸方向にほぼ平行に伸び、さらに前記引金部１０は前記把持部１の軸方向に対して斜め下方に伸びている。この状態においてビールを注出したいときにはオペレータは人差し指又は人差し指と中指で第２操作部分をなす引金部１０を把持してそれを把持部１側に引き付ける。すると、前記作動棒２８は前記中間回動部３０を中心として図上反時計方向に回動し、これによって前記栓棒１３は図上右側に移動し、パッキン２１が、座２２から離れてビールは前記パッキン２２と、座２１間を通って注出管５に至り、さらにそこから図示しないグラスに注ぎ込まれる。ビールがほぼグラスの上面に近づいたときにオペレータは引金部１０を解放する。すると、栓棒１３は前記栓棒１３の頭部２３の左側に設けられたコイルばね２６の作用によって図上左側に動かされ、前記パッキン２２が座２１に再び接触をしてビール注出が停止する。この後、オペレータは親指を前記押付部近傍に当て腕部８と押付部近傍とで形成される第１操作部分を前記把持体１側に押し付ける。これによって前記作動棒２８は中間回動部３０を中心として図３の図上時計方向に回動し、これによって前記栓棒１３は図上左側に移動して今度はパッキン２１と前記中空部１５の基端部間が開いて前記通孔１６が開放される。これによってビールは止めナット１７の通孔１８を経て中空部１５に入り、さらにこの中空部１５から通孔１６を通って注ぎ口４に至る。このときビールは通孔１６を通るので勢いよく注出され、これによって泡が形成され、この泡がグラス内のビールの上面に注出される。
【００１２】
その後、オペレータが親指を前記押付部１１から離せば、前記弁部１４内に設けたスプリング２０の作用によって前記栓棒１３が図上右側に移動して図３の状態すなわちビール注出停止状態となる。
【００１３】
【発明の効果】
本発明においては、ポータブル型ビール注出バルブの操作レバーを上記のような形状とすることにより、注出操作時の操作レバーに対する指の位置決め、指の接触安定性を著しく改善することができ、更に、本発明の操作レバーは一本のレバー構造としたため、操作レバーの組立てが容易で、製作も容易であるとともに、コンパクトな構造とすることができるという効果を奏する。
【図面の簡単な説明】
【図１】図１は本発明に係わるポータブル型ビール注出バルブの正面図である。
【図２】本発明に係わる操作レバーの斜視図である。
【図３】本発明に係わるビール注出金具の縦断面図である。
【図４】従来のポータブル型ビール注出バルブの正面図である。
【符号の説明】
１…把持体
２…チューブ
３…ビール注出金具
６…操作レバー
７…取付部
８…腕部
９…半リング状接続部分
１０…引金部
１１…腕部８の先端部分
１３…栓棒
１４…弁部
２８…作動棒
【図１】
0003640693.tif 000002
【図２】
0003640693.tif 000003
【図３】
0003640693.tif 000004
【図４】
0003640693.tif 000005